(57)【要約】  本発明は、組み込まれた超音波発生器と、複数のブラシ房とを備えるブラシヘッドであって、前記ブラシ房はベースプレートに配置されており、使用時に前記超音波発生器によって振動され、前記ブラシ房は、実質的に平行であり前記ベースプレートの中央長手軸または中央面に対して対称に配向された複数の列に配置されており、横方向で見て前記中央長手軸または中央面から発して、第１の列と少なくとも１つの第２の列とが設けられており、１つの列の全てのブラシ房は同じ長さであるブラシヘッドに関する。この種のブラシヘッドは、特に徹底的で確実な歯のクリーニングが、歯列矯正器が固定設置されている場合でも可能であるように改善されるべきである。この目的のために本発明によれば、第２の列のブラシ房は、前記第１の列のブラシ房よりも長く構成されている。【選択図】図１
2014533528.tif 000002
【特許請求の範囲】
【請求項１】
超音波発生器（１４）と、複数のブラシ房（１０）とを備える音波または超音波歯ブラシ用のブラシヘッドであって、前記ブラシ房はベース体またはベースプレート（６）に配置されており、使用時に前記超音波発生器（１４）によって振動され、
前記ブラシ房（１０）は、実質的に平行であり前記ベースプレート（６）の中央長手軸または中央面（Ｍ）に対して対称に配向された複数の列（Ｒ１〜Ｒ３）に配置されており、
前記中央長手軸または中央面（Ｍ）に対して横方向（Ｑ）に少なくとも１つの第１の列（Ｒ１）と、これに続いてそれぞれ少なくとも１つの第２の列（Ｒ２）とが設けられており、
各列ではそこにあるブラシ房（１０）は同じまたは実質的に同じ長さであり、
第２の列（Ｒ２）のブラシ房（１０）は、少なくとも１つの第１の列（Ｒ１）のブラシ房（１０）よりも長い、ブラシヘッド。
【請求項２】
少なくとも１つの前記第１の列（Ｒ１）のブラシ房（１０）は、前記ベース体または前記ベースプレート（６）の基準面（ＥＢ）上に垂直に起立している、ことを特徴とする請求項１に記載のブラシヘッド。
【請求項３】
前記第２の列（Ｒ２）の外側に、ブラシ房（１０）の少なくとも１つの第３の列（Ｒ３）が設けられており、前記少なくとも１つの第３の列（Ｒ３）のブラシ房（１０）は、前記ベース体または前記ベースプレート（６）の前記基準面（ＥＢ）に好ましくは垂直に起立しており、および／または前記第２の列（Ｒ２）の前記ブラシ房（１０）と好ましくは同じ長さである、ことを特徴とする請求項１または２に記載のブラシヘッド。
【請求項４】
前記中央長手軸または中央面（Ｍ）の両側には、ブラシ房（１０）のそれぞれ少なくとも１つの第２および／または第３の列（Ｒ２，Ｒ３）が設けられている、ことを特徴とする請求項１から３のいずれか一項に記載のブラシヘッド。
【請求項５】
前記第２の列（Ｒ２）の前記ブラシ房（１０）は、前記ベース体もしくは前記ベースプレート（６）の前記基準面（ＥＢ）上に垂直に起立しており、または前記中央長手軸もしくは中央面（Ｍ）に向かって傾斜している、ことを特徴とする請求項１から４のいずれか一項に記載のブラシヘッド。
【請求項６】
前記第３の列（Ｒ３）の前記ブラシ房（１０）は、前記ベース体もしくは前記ベースプレート（６）の前記基準面（ＥＢ）上に垂直に起立しており、または前記中央長手軸もしくは中央面（Ｍ）に向かって傾斜している、ことを特徴とする請求項１から５のいずれか一項に記載のブラシヘッド。
【請求項７】
前記第２および／または第３の列（Ｒ２，Ｒ３）の前記ベース体または前記ベースプレート（６）の前記基準面に対する傾斜角（α）は、６５°から８５°の間の範囲、とりわけ７０°から７５°の間の範囲、特に好ましくは７３°である、請求項５または６に記載のブラシヘッド。
【請求項８】
前記第３の列（Ｒ３）の前記ブラシ房（１０）は、前記第２の列（Ｒ２）の前記ブラシ房（１０）と同じ傾斜角（α）で前記ベース体または前記ベースプレート（６）上に配置されている、ことを特徴とする請求項１から７のいずれか一項に記載のブラシヘッド。
【請求項９】
前記第３の列（Ｒ３）の前記ブラシ房（１０）は、前記第２の列（Ｒ２）の前記ブラシ房（１０）と実質的に同じ高さを前記ベース体または前記ベースプレート（６）上に有する、ことを特徴とする請求項１から８のいずれか一項に記載のブラシヘッド。
【請求項１０】
斜めに設置されたまたは傾斜されたブラシ房（１０）のブラシ毛自由端部は、これらが共通の１つの面内にあるよう内側に切れ込んでいる、ことを特徴とする請求項１から９のいずれか一項に記載のブラシヘッド。
【請求項１１】
前記各列（Ｒ１，Ｒ２，Ｒ３）は、６つから８つの、好ましくは７つのブラシ房（１０）を有する、ことを特徴とする請求項１から１０のいずれか一項に記載のブラシヘッド。
【請求項１２】
前記第１の列（Ｒ１）の前記ブラシ房（１０）は、３ｍｍから５ｍｍの範囲の長さ、好ましくは４ｍｍの長さを有する、ことを特徴とする請求項１から１１のいずれか一項に記載のブラシヘッド。
【請求項１３】
前記第２の列（Ｒ２）の前記ブラシ房（１０）は、６ｍｍから１０ｍｍの範囲の長さ、好ましくは７ｍｍから９ｍｍの長さを有する、ことを特徴とする請求項１から１２のいずれか一項に記載のブラシヘッド。
【請求項１４】
隣接する列の間隔は、横方向（Ｑ）で見てそれぞれ２ｍｍから３ｍｍの範囲、好ましくはそれぞれ２．５ｍｍである、ことを特徴とする請求項１から１３のいずれか一項に記載にブラシヘッド。
【請求項１５】
請求項１から１４のいずれか一項に記載のブラシヘッド（２）を備える歯ブラシ。
【発明の詳細な説明】
【技術分野】
【０００１】
本発明は、請求項１の上位概念による音波または超音波歯ブラシ用のブラシヘッド、および請求項１５の上位概念による超音波歯ブラシに関する。
【背景技術】
【０００２】
例えばマルチバンド器具ないしマルチブラケット器具の形式の固定設置式歯列矯正器をクリーニングする際には、ブラケットのベース周囲では電気式歯ブラシによっては、不満足なクリーニング性能しか常に得られない。アーク下方の近遠心領域、並びにブラケットエッジ側方のブラケットコーナーの「影になる」歯部分は、徹底的にクリーニングしても完全にはプラークが無くならない。なぜならその箇所ではブラシ毛がブラケットないし歯と接触しないからである。これは、電気式歯ブラシでは通常行われるブラシヘッドの回転運動およびブラシヘッドの形状（ブラシ毛の長さと配向）によるものである。
【０００３】
ブラシヘッド支持体全体が往復振動するか、またはブラシヘッドが振動ないし震動する従来の電気式歯ブラシの他に、数年前からいわゆる超音波歯ブラシが公知である。この超音波歯ブラシでは、ブラシヘッドに組み込まれた超音波発生器が、通常はブラシ房にまとめられる可撓性のブラシ毛を高周波振動させる。この種の超音波歯ブラシの利点は、基本的なクリーニングの他に、とりわけ歯と歯肉とが機械的に僅かしか負荷されないことである。しかしながら専用の超音波歯磨きペーストが必要である。さらに最適のクリーニング作用を達成するために、歯磨き過程を従来の電気式歯ブラシと比較して変更しなければならない。すなわち超音波歯ブラシでは、通常、超音波歯磨きペーストを、まずスイッチオフの状態で歯の内面と外面に配分することが推奨される。それから歯ブラシがスイッチオンされ、ブラシヘッドがそれぞれ５秒から１０秒の間、それぞれ内面と外面に保持される。その際にブラシヘッド全体の機械的往復運動は行われない（すなわち歯は「磨かれない」）。
【０００４】
しかし従来の電気式歯ブラシに関連して上に記載した、固定の歯列矯正器が存在する場合での歯磨きの問題が、超音波歯ブラシでも、ある程度弱められてはいるが基本的に同様に存在する。
【発明の概要】
【発明が解決しようとする課題】
【０００５】
本発明の課題は、構造が簡単で容易に製造することのできる、音波または超音波歯ブラシ用のブラシヘッドおよび歯ブラシを提供することであり、これらはマルチバンド器具／マルチブラケット器具の形式の歯列矯正器のクリーニングに特に適し、上記の問題を回避するようにする。
【課題を解決するための手段】
【０００６】
前記課題を解決するために、請求項１に対応してブラシヘッドが構成される。歯ブラシは請求項１５の対象である。
【０００７】
「ブラシ毛の長さ」とは以下では、ベースプレートの外側から自由に起立するブラシ毛の部分の長さであり、ベースプレートの中に伸張し、場合により裏側で超音波変換器にまで続くブラシ毛の根元部分または脚部分は考慮しないものとする。ブラシ房がベースプレートに対して傾斜して配置されている場合に、そこのブラシ毛の長さが変化する場合には、「ブラシ房の長さ」とは、この房のブラシ毛の平均的な毛の長さであると理解される。複数のブラシ房が共に１つのブラシ房構成体を形成する。
【０００８】
本発明の構成は、とりわけブラシヘッドないしそのブラシ房構成体が、内側ブラシ房列の高さが縮小されているので、固定設置式歯列矯正器のワイヤアーク上およびブラケット上に上手く被せることができることを利点として提供する。比較的短い内側ブラシ房は、ワイヤアークとブラケット上の領域をクリーニングする。歯の表面に問題なしに達する外側の比較的長いブラシ房によって、ブラケットベースの円形周囲がクリーニングされる。
【０００９】
以下では、超音波歯ブラシヘッドおよび／またはブラシ房構成体が、−少なくともブラシ毛構成およびブラシ毛を支持するベースプレートの外側形状に関して−ベースプレートの中央長手軸を含む中央面または縦断面に対して全体として鏡像対称に構成されていることを前提にする。したがって超音波歯ブラシヘッドの２つの半部分のうちのそれぞれ１つだけを考察すれば十分である。当然、ブラシ房の列には、中央長手軸またはこの軸を含む中央面から始まって１、２、３等により通し番号が付される。もちろん超音波歯ブラシヘッドを全体的に考察する場合には、内側、中央または外側の列についても述べることができる。
【００１０】
各ブラシヘッド半部分のそれぞれ第１の列の代わりに、間隔により互いに分離された全部で２つの内側の列について述べれば、全体として、ブラシ房から成るただ１つの内側の列だけが設けられていると言え、この内側の列は、列長手伸長方向に対して横方向に、２つのブラシヘッド半部分のそれぞれ一方の半部分に割り当てられている。この種の構成は同様に本発明の対象であり、請求項の文言に含まれる。
【００１１】
本発明では、第１の列のブラシ房がベースプレート上に垂直に起立すると有利である。第１の列に所属するブラシ房のブラシ毛の自由端部は、ベースプレートに対して平行に配向された１つの共通の、または実質的に１つの共通の面内に存在する。
【００１２】
本発明の好ましい一実施形態では、第２の列のブラシ房が内側へ、すなわち中央面に向かって傾斜している。すなわちとりわけ有利には、比較的短いブラシ毛を備える内側の列（単数または複数）の側面に立つ、ないしこれを囲む第２の列の傾斜した比較的長いブラシ毛が、ブラケットベースの直接周囲にあるコーナーに、またはワイヤアークの下方の領域に係合し、ブラシヘッドが歯の上に固定的に取り付けられた歯列矯正器のワイヤアークおよびブラケット上に被せられる時に、そこに存在する歯の表面を直接接触することでクリーニングする。
【００１３】
前記の目的を達成するためには、第２の列のブラシ房のベースプレートに対する傾斜角または第１の列のブラシ房に対して直角に配向された基準面に対する傾斜角が、６５°から８５°の範囲、好ましくは７０°から７５°の範囲、特に好ましくは約７３°であると有利であることが判明した。
【００１４】
第２の列の外にはブラシ房の第３の列が設けられており、この第３の列はベースプレートもしくは基準面上に垂直に起立するか、または同様に中央面に向かって内側に傾斜してベースプレートの上に配置されている。すなわち好ましくは、第２の列のブラシ房と同じ傾斜角である。
【００１５】
第３の列のブラシ房が、ベースプレート上で第２の列のブラシ房と同じまたは実質的に同じ高さを有すると有利である。これにより第２と第３の列のブラシ房の端部は、個々のブラシ房内での場合による「微細構造」ないし長さの差を無視すれば、ベースプレートまたは基準面に対して平行に配向された１つの共通の面内に存在する。
【００１６】
一般的に、斜めに設置された、すなわち傾斜されたブラシ房のブラシ毛自由端部が、ベースプレートに対して平行に配向された１つの共通の面内にあり、これにより上記の「微細構造」が存在しないように内側に切れ込んでいることも有利である。
【００１７】
有利には各列は、６つから８つの、好ましくは７つのブラシ房を有する。外側の列が、内側の列よりも、例えば１つもしくは２つ多くのブラシ房、または少ないブラシ房を有することも有利であり得る。１つの列の２つのブラシ房の間の間隔、すなわち長手方向で見た間隔は、好ましくは２．５ｍｍから４．０ｍｍの範囲であり、好ましくは約３．５ｍｍである。
【００１８】
２つの隣接する列の間隔、すなわち横方向で見た間隔は、好ましくはそれぞれ２．０ｍｍから３．０ｍｍの範囲であり、好ましくは２．５ｍｍである。
【００１９】
第１の内側の列（単数または複数）のブラシ房は、好ましくは３ｍｍから５ｍｍの範囲の長さ、特に好ましくは４ｍｍの長さを有し、この長さは垂直に配向されている場合には、ベースプレート上のそれらの高さと同じである。
【００２０】
第２の、すなわち中央または外側の列（単数または複数）のブラシ房は、好ましくは６ｍｍから１０ｍｍの範囲の長さ、とりわけ好ましくは７ｍｍから９ｍｍの範囲の長さを有し、この長さは垂直に配向されている場合、ベースプレート上のそれらの高さと同じであり、傾斜して配向されている場合には、相応に低減された高さ（長さ×ｓｉｎ傾斜角）に相当する。例えば７ｍｍの長さのブラシ房は、７３°の傾斜角の場合、約６．７ｍｍの高さを有する。
【００２１】
したがって短い内側のブラシ房の長さと、比較的長い中央または外側のブラシ房の長さとの比は、好ましくは０．３から０．８の範囲であり、特に好ましくは約０．５から０．６の範囲である。第３の、すなわち外側の列のブラシ房は、その長さに関して上記のように第２の列のブラシ房に整合している。
【００２２】
前記の長さは、一方では最も短い内側のブラシ房が矯正器エレメントに確実に十分に密に達し、他方では比較的長い外側のブラシ房において、超音波の良好な伝達の際にブラシ毛が重なり合うのが回避されるように選択されている。ブラシ毛が重なり合うと、ブラシ毛が矯正器エレメントまたは歯に直線状に作用せず、超音波が未定義の角度で放射されるようになってしまう。このことは望ましいことではない。
【００２３】
ブラシヘッドのブラシ毛および／またはベースプレートは例えばプラスチック製とすることができる。電気機械的変換器または超音波発生器として圧電素子を使用することができ、これは、例えば３００Ｈｚから少なくとも３０ｋＨｚまでの周波数インターバルで振動を形成することができる。ブラシ毛は好ましくは、それらの自由端部が軸方向および／または横（側方）方向に超音波発生器によって偏向されるように構成され、超音波発生器に結合されている。
【００２４】
ブラシヘッドは、従来のようにブラシヘッド支持体に取り付けるか、または成形することができる。ブラシヘッド支持体は、例えばグリップ部のための差し込み部として構成することができ、グリップ部は公知のように、超音波発生器用の動作電圧を提供するための再充電可能なアキュムレータ等、並びにキーまたはスイッチのような対応の操作素子、および場合によりさらなる電子コンポーネントを収容することができる。したがってブラシヘッド支持体とグリップ部との間には、電気的および機械的結合部を設けることができる。
【００２５】
表現「実質的に」ないし「約」とは本発明では、それぞれ正確な値からの±１０％、好ましくは±５％の偏差、および／または機能には意味のない変化の形での偏差を意味する。
【００２６】
本発明のさらなる形態、利点および適用可能性は、実施例の以下の説明および図面から明らかとなる。ここにおいて記述されたおよび／または図面に示された全ての特徴はそれ自体、または任意の組合せにおいて基本的に本発明の対象であり、請求項またはそれらの引用関係におけるそれら概要には依存しない。請求項の内容も明細書の構成部分である。
【００２７】
本発明を以下、図面に基づき実施例について詳細に説明する。
【図面の簡単な説明】
【００２８】
【図１】本発明よるブラシヘッドの斜視図である。
【図２】本発明よるブラシヘッドの斜視図である。
【図３】図１と２のブラシヘッドの概略的側面図である。
【図４】図１と２のブラシヘッドの概略的正面図である。
【図５】図１と２のブラシヘッドの上側ないしブラシ束の概略的平面図である。
【図６】ブラシ房の領域における図１と２のブラシヘッドのベース体の拡大断面図である。
【発明を実施するための形態】
【００２９】
図面に好ましい一実施形態で図示された超音波歯ブラシ１のブラシヘッド２は、プラスチックから作製されたベース体４を有し、このベース体は概ね直方体の形態であり、丸められたコーナーおよびエッジ領域を有する。図示ではベース体４の上側である側においてベース体４は、概ね矩形で縦長であり上側が扁平で、丸められたコーナーを備えるベースプレート６により形成されている。２つの端面の一方でブラシヘッド２は、成形された、またはこれと接続されたブラシヘッド支持体またはグリップエレメント７等に、その長手方向または中央長手軸Ｌで続いている。ベースプレート６の上側は基準面ＥＢにある。
【００３０】
ベースプレート６には、実質的に円形の収容開口部８の規則的なグリッドまたはアレイがはめ込まれている。これらの収容開口部には、多数の可撓性また柔軟性のあるブラシ毛１２、例えばプラスチックブラシ毛から成るそれぞれ１つのブラシ房１０が収容され固定されている。ベース体４の内部の、ベースプレート６の裏側ないし下側には、図には概略的にのみ図示した扁平な超音波発生器１４が存在する。この超音波発生器は、電気機械的超音波変換器とも称することができ、ブラシ房１０のブラシ毛１２を使用時に、３００Ｈｚ以上、毎分１．６Ｍｉｏ．振動まで、または３０ｋＨｚ以上の振動周波数で励振する。超音波発生器１４として例えば、強誘電性音響変換器またはピエゾアクチュエータを使用することができる。技術的詳細は当業者には周知であり、ここで詳しく説明する必要はない。
【００３１】
ブラシヘッド２は、ブラシ房１０により形成されるブラシ束に関し、特にマルチバンド器具ないしマルチブラケット器具の形式の固定設置された歯列矯正器におけるクリーニング必要性に特別に整合されている。そのためにブラシヘッド２は、ベースプレート６の中央長手軸Ｌを含む中央面または縦断面Ｍに対して対称に構成されている。ブラシ束ないしブラシ房フィールドは、長手方向Ｌに対して実質的に平行に延在する複数の、すなわち図示の実施形態では６つのブラシ房１０の列Ｒ１〜Ｒ３から統合される。各列Ｒ１〜Ｒ３は、それぞれ同じ長手方向間隔ａ＝３．５ｍｍで互いに配置された７つのブラシ房１０を有する。隣接する２つの列Ｒ１〜Ｒ３間の横方向Ｑの間隔ｂ＝２．５ｍｍ、すなわち中央面Ｍに対して垂直または実質的に垂直の軸方向における間隔も同様に全ての列Ｒ１〜Ｒ３に対して同じ大きさである。さらにブラシ房１０は、列ごとに横方向Ｑに整列しており、これにより全体で６×７のブラシ房１０の規則的な矩形グリッドが実現されている。中央面Ｍから横方向Ｑで見てそれぞれ第１の、すなわち内側の列Ｒ１は、ベースプレート６ないし基準面ＥＢ上に垂直に起立するブラシ房１０を有し、このブラシ房の長さないし高さは約４ｍｍである。ブラシ毛１２のブラシ毛自由端部は、鋭敏な歯肉の損傷を排除するために、好ましくは丸められている。
【００３２】
これに対して、外側に向かって続く第２の列Ｒ２は、中央面Ｍに向かって内側に傾斜したブラシ毛１２ないしブラシ房１０を有し、これは約７ｍｍの長さを有する。ブラシ毛１２ないしブラシ房１０は、その自由端部においては、ベースプレート６の領域におけるよりも小さな間隔を中央面Ｍから有する。ブラシ毛１２ないしブラシ房１０の長手伸長方向と、中央軸に対して垂直に、ブラシ体４またはベースプレート６の上側へ配向された基準面ＥＢとの間の対応の傾斜角αは、約７３°である。図面の図示とは異なり、第２の列Ｒ２の斜めに設置されたブラシ房は、それらの自由端部が１つの共通の面内に存在するよう内側に切れ込んでも良い。
【００３３】
加えて、外側にあるブラシ房１０の第３の列Ｒ３が設けられており、このブラシ房ないしそのブラシ毛１２は、ベースプレート６ないし基準面ＥＢ上に垂直に、または実質的に垂直に起立している。ブラシ毛の長さは好ましくはそれぞれ、第３の列Ｒ３のブラシ毛１２の自由端部と第２の列Ｒ２の内側に切れ込んだ対応のブラシ毛１２の自由端部とが１つの共通の面内にあるよう選択されている。したがって第３の列のブラシ房１０のブラシ毛１２の毛の長さは、約７ｍｍ未満である。
【００３４】
それとは異なり、第３の列Ｒ３のブラシ房１０も同様にベースプレート６または基準面ＥＢに対して角度αで、例えば７３°の角度で内側に傾斜することも可能である。この場合、ブラシ毛１２ないしブラシ房１０の自由端部も同様に、ベースプレート６の領域におけるよりも小さな間隔を中央面Ｍから有する。ブラシ毛フィールドの鏡像対称の構成に相応して、３つの列Ｒ１〜Ｒ３が中央面Ｍの両側に設けられている。これにより全体では６×７のブラシ房１０を有するブラシ毛フィールドまたはブラシ束が実現されている。
【００３５】
さらなる一実施形態では、中央面Ｍの両側に、これに対して対称に配置された、比較的短いブラシ房１０の２つの内側の列Ｒ１の代わりに、このような列Ｒ１が１つだけ設けられており、そのブラシ房１０は中央長手軸Ｌまたは中央面Ｍに沿って配置されている。したがってこの実施形態では、例えば１つのブラシフィールドが、全部で５×７のブラシ房１０により実現されている。
【００３６】
さらに中央長手軸Ｌの方向に、７より多数のまたは少数のブラシ房１０を各列Ｒ１〜Ｒ３に設けることもできる。多くの適用に対して短いブラシヘッド２が望まれる場合には、各列Ｒ１〜Ｒ３に例えば４つまたは５つのブラシ房１０で十分であろう。さらに、第４または第５の列のブラシ房１０を有する特に幅広のブラシヘッド２も考えられる。最後に、列のうちのいくつか、とりわけ外側の列が中央長手軸Ｌまたは中央面Ｍに対して正確に平行に配向されるのではなく、やや斜めに延在することも可能である。特別の目的に対しては、非対称の構成も検討することができる。
【００３７】
例えばハンドスティック１６に脱着自在に設けられた本発明のブラシヘッド２は、原則的に超音波歯ブラシの公知のブラシヘッドと同じように適用される。すなわち以下のとおりである：
・超音波歯磨きクリームを歯の内側と外側に軽く配分する、
・超音波発生器１４またはハンドスティック１６がスイッチオンされているときに、ブラシ毛１２を歯に内側から、そして引き続き外側から保持する、すなわち動かさずに５秒から１０秒間、留める。
・次に処理位置を変化する、すなわちブラシ毛１２を次の歯に保持する。
【００３８】
本発明のブラシヘッド２は、固定設置された歯列矯正器のワイヤアークおよびブラケットの上のブラシ毛フィールドに「すき間１７」があるので被せられる。外側の比較的長い、場合により角度の付けられたブラシ房１０により、ワイヤアークの下方およびブラケットベースの円形周囲がクリーニングされる。比較的短い内側のブラシ房１０は、ワイヤアークおよびブラケット上の面をクリーニングする。したがって本発明のブラシヘッド２は、衛生的にクリティカルなブラケット周囲を理想的にクリーニングする。
【符号の説明】
【００３９】
１  音波または超音波歯ブラシ
２  ブラシヘッド
４  ベース体
６  ベースプレート
８  収容開口部
１０  ブラシ房
１２  ブラシ毛
１４  超音波発生器
１６  ハンドスティック
１７  すき間
Ｌ  長手方向
Ｍ  中央面
Ｒ１，Ｒ２，Ｒ３  列
Ｑ  横方向
ＥＢ  基準面
ａ  長手方向間隔
ｂ  横方向間隔
α  傾斜角
【図１】
2014533528.tif 000003
【図２】
2014533528.tif 000004
【図３】
2014533528.tif 000005
【図４】
2014533528.tif 000006
【図５】
2014533528.tif 000007
【図６】
2014533528.tif 000008
【国際調査報告】
2014533528.tif 000009
2014533528.tif 000010
2014533528.tif 000011
2014533528.tif 000012
2014533528.tif 000013
2014533528.tif 000014
2014533528.tif 000015
2014533528.tif 000016